(57)【要約】【目的】  ユーザが自在にポジショニングテーブルをカスタマイズできる放送受信装置を提供する。【構成】  制御マイコン１７におけるテレテキスト情報抜取部５は、カラーテレビ信号に含まれているテレテキスト情報を抜き取る処理を行う。テレテキストデコーダ６は、抜き取られたテレテキスト情報をデコードするとともに、付加情報（放送局名、ＮＩ，ＰＤＣ，ＶＰＳ等、映像フォーマット等）をＣＰＵ１３に供給する。そして、制御マイコン１７は、放送を受信するための情報をポジション番号に設定することができ、前記付加情報中の各種情報をキーワードとし、ユーザによって選択されたキーワードにより選出された一つ又は複数の放送を受信するための情報を、ユーザにより選択されたポジション又はそれ以降の複数のポジションに設定する。【選択図】        図１
2005341196.tif 000002
【特許請求の範囲】
【請求項１】
受信した放送波からチャンネルについての各種情報を取得することができ、放送を受信するための情報をポジション番号に設定することができる放送受信装置において、前記取得した各種情報又は予めメモリに格納されている各種情報をキーワードとし、ユーザによって選択されたキーワードに基づいて選出された一つ又は複数の放送を受信するための情報を、ユーザにより選択されたポジション又はそれ以降の複数のポジションに設定する編集処理を行うように構成されたことを特徴とする放送受信装置。
【請求項２】
請求項１に記載の放送受信装置において、どの放送をどのポジションに設定するかを決めるポジショニングテーブルに対応した編集画面をディスプレイに表示し、前記編集画面上でユーザ操作によるポジショニングテーブルの編集作業が行えるように構成されたことを特徴とする放送受信装置。
【請求項３】
請求項１に記載の放送受信装置において、ポジションと物理チャンネル番号とを対応付けたポジショニング結果に対応した編集画面をディスプレイに表示し、前記編集画面上でユーザ操作によるポジショニング結果の編集作業が行えるように構成されたことを特徴とする放送受信装置。
【請求項４】
請求項３に記載の放送受信装置において、各放送に対して優先順位をユーザ操作で付与する手段を備え、このユーザによる優先順位をキーワードの一つとするように構成されたことを特徴とする放送受信装置。
【請求項５】
請求項１乃至請求項４のいずれかに記載の放送受信装置において、前記キーワードとされる前記各種情報は、放送局名、放送局ＩＤ、国名、国ＩＤ、映像フォーマット情報、音声システム情報、ジャンル情報、有料／無料ＣＨ情報、契約／未契約ＣＨ情報、周波数関連情報、信号有無情報、電界強度、論理ＣＨ番号の全部又は一部を含むことを特徴とする放送受信装置。
【発明の詳細な説明】
【技術分野】
【０００１】
この発明は、テレビ放送を受信する放送受信装置に関する。
【背景技術】
【０００２】
テレビ放送信号の映像ブランキング期間にデータ（時間、文字、番組データ等の各種情報）を重畳する方式が各国において採用されている（特許文献１、特許文献２参照）。また、チャンネルサーチ機能を備える放送受信装置では、チューナを制御して自動的に受信周波数を変化させて放送の有無を検出し、検出できた放送を受信するための周波数情報等をポジション番号に対応付ける処理（ポジショニング）を行なうことができる。
【特許文献１】特開平９―４４９３３号公報
【特許文献２】特許第３０２６６８６号
【発明の開示】
【発明が解決しようとする課題】
【０００３】
しかしながら、従来の放送受信装置では、ユーザによるポジショニングテーブルのカスタマイズは容易でない。ポジショニング結果を並び替えたい場合は、チャンネルスワップ機能などを用いて、１ポジションずつ手作業で並び替えを行わなければならず、非常に手間がかかるものであった。
【０００４】
この発明は、上記の事情に鑑み、ユーザが自在にポジショニングテーブルをカスタマイズできる放送受信装置を提供することを目的とする。
【課題を解決するための手段】
【０００５】
この発明の放送受信装置は、上記課題を解決するために、受信した放送波からチャンネルについての各種情報を取得することができ、放送を受信するための情報をポジション番号に設定することができる放送受信装置において、前記取得した各種情報又は予めメモリに格納されている各種情報をキーワードとし、ユーザによって選択されたキーワードに基づいて選出された一つ又は複数の放送を受信するための情報を、ユーザにより選択されたポジション又はそれ以降の複数のポジションに設定する編集処理を行うように構成されたことを特徴とする。
【０００６】
上記の構成であれば、ユーザはキーワードを用いて自在に且つ容易にポジションについての編集を行うことができる。
【０００７】
上記構成の放送受信装置において、どの放送をどのポジションに設定するかを決めるポジショニングテーブルに対応した編集画面をディスプレイに表示し、前記編集画面上でユーザ操作によるポジショニングテーブルの編集作業が行えるように構成されていてもよい。或いは、上記構成の放送受信装置において、ポジションと物理チャンネル番号とを対応付けたポジショニング結果に対応した編集画面をディスプレイに表示し、前記編集画面上でユーザ操作によるポジショニング結果の編集作業が行えるように構成されていてもよい。かかる構成においては、各放送に対して優先順位をユーザ操作で付与する手段を備え、このユーザによる優先順位をキーワードの一つとするように構成されていてもよい。
【０００８】
これら構成の放送受信装置において、前記キーワードとされる前記各種情報は、放送局名、放送局ＩＤ、国名、国ＩＤ、映像フォーマット情報、音声システム情報、ジャンル情報、有料／無料ＣＨ情報、契約／未契約ＣＨ情報、周波数関連情報、信号有無情報、電界強度、論理ＣＨ番号の全部又は一部を含むのがよい。
【発明の効果】
【０００９】
以上説明したように、この発明の放送受信装置であれば、ユーザはキーワードを用いて自在に且つ容易にポジションについての編集を行うことができる。
【発明を実施するための最良の形態】
【００１０】
以下、この発明の実施形態を図１乃至図１４に基づいて説明する。図１は欧州対応のテレビジョン信号を受信するテレビジョン受信装置を示したブロック図である。
【００１１】
図１において、アンテナ１は、受信した放送波を電気信号に変換しアンテナコードを介してチューナ２に供給する。チューナ２の信号入力部は、アンテナコードと増幅部との入力インピーダンスを整合させる回路や妨害となる電波を排除する各種のトラップ回路、入力信号を増幅する増幅回路などを備えている。また、チューナ２は、希望チャンネルの信号と局部発振信号とを混合して中間周波数信号（ＩＦ）を生成する。局部発振信号は、例えば電圧シンセサイザーから出力される。電圧シンセサイザーは、印加電圧（同調電圧）によって容量が変化する可変容量ダイオード等を備えて成り、例えば、欧州で採用されている中間周波数の信号が出力されるように、希望チャンネルの信号に対応させて可変した局部発振信号を生成する。
【００１２】
検波回路３は、中間周波数（ＩＦ）の信号を検波し、映像信号と音声信号を取り出す。映像信号処理回路４は、検波回路３からの映像信号を復調してコンポジット映像信号を生成し、このコンポジット映像信号を制御マイコン１７に与える。音声処理回路１８は、検波回路３からの音声信号を復調し、この復調した音声信号をスピーカ１９に与える。
【００１３】
制御マイコン１７は、コンポジット映像信号に対してＯＳＤ（オンスクリーンディスプレイ）処理等を施すと共に色副搬送波を発生し、これを用いて搬送色信号から色差信号を復調し、この色差信号からＲ，Ｇ，Ｂを生成するなどの処理を行う。ドライブ回路８は、Ｒ，Ｇ，Ｂ信号等に基づいてＣＲＴ９を駆動する。
【００１４】
制御マイコン１７におけるテレテキスト情報抜取部５は、カラーテレビ信号に重畳されているテレテキスト情報（放送局ＩＤ，国ＩＤ等）を抜き取ってＣＰＵ１３に出力する。
【００１５】
混合回路１２はＯＳＤ回路７から出力される表示信号（後述する編集画面等）を映像信号処理回路４から出力される映像信号に重畳する。
【００１６】
リモコン送信機１０は、テレビジョン受信装置に指令を送出するための送信機である。このリモコン送信機１０に設けられた図示しないキーを操作すると、そのキーに対応した指令を意味する信号光（リモコン信号）が図示しない発光部から送出される。リモコン受光器１１は、前記信号光を受光し、これを電気信号に変換してＣＰＵ１３に与える。
【００１７】
ＣＰＵ１３のＲＯＭ１５又は不揮発性メモリ１６には、放送局テーブル（放送局とＮＩ，ＰＤＣ，ＶＰＳ等との対応テーブル）が格納されている。更に、ＲＯＭ１５又は不揮発性メモリ１６には、ポジショニングテーブル（どの放送局をどのポジション番号にポジショニングするかというポジション番号と放送局の対応テーブル）が格納されている。
【００１８】
ＣＰＵ１３は、自動ポジショニング時（チャンネルプリセット時）において、チューナ２の同調電圧を徐々に変化させてオートチューニング処理を実行し、放送局テーブル及びポジショニングテーブルによって放送局を特定してポジショニングを行い、このポジショニング結果（全ポジション番号に対するチャンネル番号の対応テーブル）を不揮発性メモリ１６に格納する。この自動ポジショニングが行なわれた後は、例えば、ユーザがポジション１を選択した場合、不揮発性メモリ１６からポジショニング結果を読み出し、ポジション１にポジショニングされているチャンネルの受信処理を実行することになる。
【００１９】
また、この実施形態では、上記放送局テーブルと同様に、チャンネル番号とチャンネル付随情報（以下、ＣＨ付随情報と記す）とを対応つけたデータを不揮発性メモリ１６に備える。ＣＨ付随情報は、放送局名、放送局ＩＤ、国名、国ＩＤ、映像フォーマット情報、音声システム情報、ジャンル情報、有料／無料ＣＨ情報、契約／未契約ＣＨ情報、周波数関連情報（周波数値等）、信号有無情報（有局／無局）、電界強度から成る。ＣＨ付随情報は、既知の情報に加え、チャンネルサーチ等で新たに取得した情報も含む。ＣＨ付随情報はチャンネル編集（カスタマイズ）におけるキーワードとして利用される。
【００２０】
ＣＰＵ１３は、通常の放送受信に関する処理の他、特にこの発明にかかる処理として、前述のごとく行われた自動ポジショニングを固定するのではなく、ユーザによるチャンネル編集（カスタマイズ）を可能にする処理を行う。
【００２１】
＜カスタマイズ処理例１＞
予め不揮発性メモリ１６に設定されたプリセットテーブル（例えば、ポジショニングテーブルと同内容）を画面表示（一覧表示など）し、その内容に対してユーザがカスタマイズし、自動ポジショニングが開始されたときに、このテーブルに基づいてポジショニングを行う。
【００２２】
例えば、図２に示すように、ＯＳＤ機能を用いてプリセットテーブル一覧を表示する。次に、ユーザがリモコン送信機１０の方向キー（十字キー）等を操作してカスタマイズしたいポジションを選択すると、ＣＰＵ１３は、図３に示すように、挿入なのか、削除（削除後ポジション上詰）なのか内容変更なのかをユーザに選択させるための項目選択枠をＯＳＤ表示する。
【００２３】
ユーザがリモコン送信機１０を用いて項目を選択すると、ＣＰＵ１３は、図４に示すように、選択したポジションにポジショニングしたいチャンネルを特定するためのキーワードとなるＣＨ付随情報を不揮発性メモリ１６から読み出してその項目一覧をＯＳＤ表示する。ここで、放送局名など項目が多いものは、図５に示すように、サブカテゴリ化してもよい。次に項目を選択すると（例えば、図５においてＡＢＣ１を選択すると）、同じ付随情報を持つチャンネルが複数存在することも考えられるので（例えば、同じ放送局が複数存在する場合など）、図６に示すように、ポジショニングするチャンネル数を選択させる入力枠を画面表示する。チャンネル数はリモコン送信機のテンキーを操作することで入力することができる。更に、それらの中（特定されたチャンネルの中）で優先順位をつけるために（優先順位の高いチャンネルからポジショニングを行うため）、図７に示すように優先順位決定キーワードとしてＣＨ付随情報の項目一覧をＯＳＤ表示する。ユーザはリモコン送信機１０を操作して項目を選択することになる。
【００２４】
ここで、図８に示すように、項目を複数選択できるようにし、それらの中で優先順位がつけられるようにしてもよい。例えば、ユーザが電界強度を選択した状態でリモコン送信機１０の「１」を操作し、次に周波数（低い順）を選択してリモコン送信機１０の「２」を選択した場合、電界強度は優先順位第１位となり、周波数（低い順）は優先順位第２位となる。自動ポジショニング実行時、特定されたチャンネルが複数存在する場合には優先順位第１位の電界強度順にチャンネルを並べる。この並びで電界強度が同じである場合には、優先順位第２位の周波数（低い順）に従ってチャンネルを並べることになる。
【００２５】
先に述べた、ポジショニングするチャンネル数の選択項目としては、図６に示したように、チャンネル数を直接入力できる項目と、全てのチャンネルとする項目の少なくとも２つの項目が必要である。全てのチャンネルの項目を選択したポジションがあった場合、図２に示すように、以降のポジション（先に選択されたポジションより数字が大きいポジション）は相対ポジションとし、ポジション番号は表示しない（図２では「＊＊」を表示している）。また、プリセットテーブル一覧で、全てのチャンネルを選択したのかそれ以外であるのかを区別できるように、例えば、項目の表示色を変えるなどするのがよい（例えば、図２の「フランスＣＨ（全てのＣＨ）」を色変えする）。以上の操作を繰り返し、プリセットテーブルのカスタマイズを行う。
【００２６】
次に、図１３のフローチャートを用いて上記カスタマイズ処理例１に関して更に説明する。リモコン送信機１０等を用いたユーザ操作により、プリセットテーブル編集が指示されると、ＣＰＵ１３は不揮発性メモリ１６などのメモリからプリセットテーブル情報を読み込み、図２に示した「プリセットテーブル編集画面」を表示する（ステップＳ１）。ユーザ操作により、ポジション編集箇所が指示されると、指示内容が「ＣＨ削除」であるかどうかを判断する（ステップＳ２）。「ＣＨ削除」であるときにはステップＳ１４に進み、「ＣＨ削除」でない場合には、「ＣＨ挿入」であるかどうかを判断する（ステップＳ３）。「ＣＨ挿入」でないときには、編集の種類を「変更」とし（ステップＳ４）、「ＣＨ挿入」であるときには、編集の種類を「挿入」とする（ステップＳ５）。
【００２７】
不揮発性メモリ１６などのメモリから、チャンネルを特定するためのキーワードを読み込み、図４に示した「キーワード選択画面」を表示する（ステップＳ６）。ユーザによりキーワードが選択されると、ＣＰＵ１３は図７又は図８に示した「優先順位決定キーワード選択画面」を表示する（ステップＳ７）。ユーザにより優先順位決定キーワードが選択されると、編集の種類が「挿入」であるかどうかを判断し（ステップＳ８）、「挿入」でない場合にはプリセットテーブルの現在編集しているポジションに対して編集内容を更新する（ステップＳ９）。一方、編集の種類が「挿入」であったときには、図６に示した「挿入チャンネル数入力画面」を表示する（ステップＳ１０）。「全てのＣＨ」が選択されたときには（ステップＳ１１でＹＥＳ）プリセットテーブルの現在編集しているポジション以降は、ポジション番号不定とし（ステップＳ１２）ステップＳ１５に進む。「全てのＣＨ」でないときには（ステップＳ１１でＮＯ）、プリセットテーブルの現在編集しているポジション部に指定された挿入チャンネル数分、編集チャンネルを挿入し（ステップＳ１３）、ステップＳ１５に進む。一方、編集の種類が「削除」であったときには（ステップＳ２でＹＥＳ）、プリセットテーブルの現在編集しているポジション部を削除し、以降のポジションを上詰めする（ステップＳ１４）。そして、不揮発性メモリ１６に在るプリセットテーブルの情報を更新することになる（ステップＳ１５）。
【００２８】
＜カスタマイズ処理例２＞  
不揮発性メモリ１６に設定されたポジショニング結果を画面表示（一覧表示など）し、その内容をキーワードの組み合わせに基づいて並び替える。ここで、例えば、ポジショニングテーブルがプリセットされておらず、装置購入当初のチャンネルサーチを周波数が低い方から開始して放送局が見つかった順にポジションに放送局を割り当てていくことでポジショニング結果を得る場合がある。また、上記のようなチャンネルサーチを行っても、ポジショニング結果を空白としておく場合もある。チャンネルサーチを行うことで、放送局テーブルを作成することができるが、この段階ではポジショニングテーブルは作成されていない。
【００２９】
例えば、図９に示すように、空白のポジショニング一覧を表示する。次にユーザが並び替えしたいポジションを選択すると、前述した処理例１と同様に、図３に示すように挿入なのか、削除（削除後ポジション上詰）なのか内容変更なのか選択できる画面を表示され、更に項目を選択すると、図４に示すように、ＣＨ付随情報項目一覧が表示される。この場合のＣＨ付随情報項目一覧は、選択したポジションに並べ替えしたいチャンネルを特定するためのキーワードを選択するためのものとなる。前述した処理例１と同様、同じ付随情報を持つチャンネルが複数存在することも考えられるので、並び替えの対象となるチャンネル数を選択できるようにする。そして、それらの中で優先順位をつけるために、さらに図７に示すように優先順位決定キーワード選択画面を表示し、ユーザが選択したキーワードに基づいて並び替えの対象となるチャンネルを並べる。
【００３０】
また、図８に示すように、項目を複数選択できるようにし、それらの中で優先順位を付けられるようにしてもよい（前述した処理例１と同様である）。図６に示したように、チャンネル数選択項目としては、チャンネル数を直接入力できる項目と、全てのチャンネルの項目の少なくとも２つの項目が必要である。ここで、並び替えに必要なＣＨ付随情報を全て不揮発性メモリ１６などのメモリに保存している場合は、これらの情報を検索し、チャンネルを特定する。一方、並び替えに必要なＣＨ付随情報を全て不揮発性メモリ１６などのメモリに保存していない場合には、チャンネルサーチによって必要なＣＨ付随情報を再取得し、チャンネルを特定する（なお、この方法は取得に時間がかかりすぎるという不利がある）。また、図１０に示すように、並び替えの対象となるチャンネル一覧を表示するなどし、この一覧からユーザが所望のチャンネルを選択できるようにしてもよい。以上の操作を繰り返し並び替えを行う。
【００３１】
なお、この実施形態では、ポジショニング結果をユーザに提示（一覧表示など）することができ、ポジショニングされた個々のチャンネルに対しユーザが優先順位を指定することができるようにしている。例えば、ＣＰＵ１３は、図１１に示すように、優先順位決定画面を表示する。優先順位を指定したいチャンネルをユーザが選択すると、図１２に示すように優先順位を指定できる画面が表示される。ここで、ユーザは優先順位を入力し、優先順位を確定する。以上の操作を繰り返し、各チャンネルに優先順位を指定する。このようにして作成された優先順位でチャンネルの並べ替えを行いたいときには、優先順位決定キーワードにおける「ユーザ設定優先順位」を選択すればよい（図７参照）。
【００３２】
次に、図１４のフローチャートを用いて上記カスタマイズ処理例２に関して更に説明する。リモコン送信機１０等のユーザ操作により、ポジショニング結果編集が指示されると、ＣＰＵ１３は不揮発性メモリ１６などのメモリからポジショニング結果情報を読み込み、図９に示したように、「ポジショニング結果情報画面」を表示する（ステップＳ２１）。ユーザ操作により、ポジション編集が指示されると、指示内容が「ＣＨ削除」であるかどうかを判断する（ステップＳ２２）。「ＣＨ削除」であるときにはステップＳ３７に進み、「ＣＨ削除」でない場合には、「ＣＨ挿入」であるかどうかを判断する（ステップＳ２３）。「ＣＨ挿入」でないときには、編集の種類を「変更」とし（ステップＳ２４）、「ＣＨ挿入」であるときには、編集の種類を「挿入」とする（ステップＳ２５）。
【００３３】
不揮発性メモリ１６などのメモリから、チャンネルを特定するためのキーワードを読み込み、図４に示したように、「キーワード選択画面」を表示する（ステップＳ２６）。ユーザによりキーワードが選択されると、ＣＰＵ１３は、図７又は図８に示したように、「優先順位決定キーワード選択画面」を表示する（ステップＳ２７）。ユーザにより優先順位決定キーワードが選択されると、並び替えに必要なＣＨ付随情報を全て不揮発性メモリなどのメモリに保持しているかどうかを判断し（ステップＳ２８）、保持していない場合には情報を再取得する（ステップＳ２９）。そして、キーワードに一致するチャンネルを特定し、優先順位に応じ並び替えを行う。ここで、特定したチャンネルを一覧表示し、所望するチャンネルをユーザが選択できるようにしてもよい（ステップＳ３０）。
【００３４】
また、編集の種類が「挿入」であるかどうかを判断し（ステップＳ３１）、「挿入」でない場合にはポジショニング結果の現在編集しているポジションに対して編集内容に基づいた更新を行う（ステップＳ３２）。一方、編集の種類が「挿入」であったときには、「挿入チャンネル数入力画面」を表示する（ステップＳ３３）。「全てのＣＨ」が選択されたときには（ステップＳ３４でＹＥＳ）、ポジショニング結果の現在編集しているポジションに、特定されたチャンネル全てを優先順位順に挿入し（ステップＳ３５）、ステップＳ３８に進む。「全てのＣＨ」でないときには（ステップＳ３４でＮＯ）、ポジショニング結果の現在編集しているポジションに、指定された挿入チャンネル数分、特定されたチャンネルを優先順位順に挿入して（ステップＳ３６）ステップＳ３８に進む。一方、編集の種類が「削除」であったときには（ステップＳ２２でＹＥＳ）、ポジショニング結果の現在編集しているポジション部を削除し、以降のポジションを上詰めする（ステップＳ３７）。そして、不揮発性メモリ１６上でプリセットテーブルの情報を、編集されたポジショニング結果に基づいて作成（更新）することになる（ステップＳ３８）。
【００３５】
なお、以上の例では、欧州対応のアナログテレビジョン受信装置を示したが、これに限るものではない。また、地上ディジタル放送受信装置においても、放送波に載せられている付加情報（ＰＳＩ／ＳＩ（Ｐｒｏｇｒａｍ  Ｓｐｅｃｉｆｉｃ  Ｉｎｆｏｒｍａｔｉｏｎ／Ｓｅｒｖｉｃｅ  Ｉｎｆｏｒｍａｔｉｏｎ）におけるネットワーク名記述子やブロードキャスタ名記述子等）、各周波数における放送の有無、各放送の音声／映像形式、有料／無料、契約／未契約、ジャンル、論理ＣＨ番号等を付加情報として保持し、同様の処理を実行することができる。
【図面の簡単な説明】
【００３６】
【図１】この発明の実施形態のテレビジョン受信装置を示したブロック図である。
【図２】画面表示例を示した説明図である。
【図３】画面表示例を示した説明図である。
【図４】画面表示例を示した説明図である。
【図５】画面表示例を示した説明図である。
【図６】画面表示例を示した説明図である。
【図７】画面表示例を示した説明図である。
【図８】画面表示例を示した説明図である。
【図９】画面表示例を示した説明図である。
【図１０】画面表示例を示した説明図である。
【図１１】画面表示例を示した説明図である。
【図１２】画面表示例を示した説明図である。
【図１３】処理内容を説明したフローチャートである。
【図１４】処理内容を説明したフローチャートである。
【符号の説明】
【００３７】
１    アンテナ
２    チューナ
３    検波回路
４    映像信号処理回路
５    テレテキスト情報抜取部
６    テレテキストデコーダ
７    ＯＳＤ回路
１３  ＣＰＵ
１６  不揮発性メモリ
１７  制御マイコン
【図１】
2005341196.tif 000003
【図２】
2005341196.tif 000004
【図３】
2005341196.tif 000005
【図４】
2005341196.tif 000006
【図５】
2005341196.tif 000007
【図６】
2005341196.tif 000008
【図７】
2005341196.tif 000009
【図８】
2005341196.tif 000010
【図９】
2005341196.tif 000011
【図１０】
2005341196.tif 000012
【図１１】
2005341196.tif 000013
【図１２】
2005341196.tif 000014
【図１３】
2005341196.tif 000015
【図１４】
2005341196.tif 000016